(57)【要約】
【課題】  ＵＳＢ対ＶＧＡインタフェース変換装置の提供。
【解決手段】  ＵＳＢコントローラとＶＧＡコントローラの間を連結するブリッジがファームウエアインタフェース、ＦＩＦＯコントローラ及びディスプレイインタフェース変換器を具え、ファームウエアインタフェースがＵＳＢコントローラに接続されてＵＳＢコントローラよりバス制御命令を受け取り、並びにディスプレイインタフェース変換器にファームウエア及びＤＭＡ制御信号を送り、且つＦＩＦＯコントローラがＵＳＢコントローラに接続されてＵＳＢコントローラを制御してＦＩＦＯ方式でコンピュータからのＵＳＢ形態の表示データを伝送させ、並びにＦＩＦＯコントローラがＵＳＢデータをディスプレイインタフェース変換器に伝送し、ディスプレイインタフェース変換器よりＶＧＡコントローラに送り標準ＶＧＡディスプレイインタフェース信号に変換してディスプレイに送る。
【選択図】        図１
0003100747.tif 000002
【実用新案登録請求の範囲】
【請求項１】
コンピュータのＵＳＢインタフェースポートに接続されたＵＳＢコントローラ、ＶＧＡコントローラ、ブリッジを具え、該ＵＳＢコントローラはコンピュータのＵＳＢインタフェースポートに接続されてコンピュータの伝送するＵＳＢインタフェース形態の表示画面データを受け取り、並びにバス制御命令と上述のＵＳＢインタフェース形態の表示画面データを送出し、該ＶＧＡコントローラはディスプレイに接続され、ＶＧＡディスプレイインタフェース形態画面信号をディスプレイに伝送し、該ブリッジは該ＵＳＢコントローラと該ＶＧＡコントローラの間を連結し、該ＵＳＢコントローラの送出するバス制御命令を受け取り、且つＵＳＢコントローラに対してＦＩＦＯ制御信号を送出し、ＦＩＦＯ方式でＵＳＢコントローラの伝送するＵＳＢインタフェース形態の表示画面データを受け取り、並びにＵＳＢインタフェース形態の表示画面データをＶＧＡディスプレイインタフェース形態画面信号に変換してＶＧＡコントローラに送ることを特徴とする、ＵＳＢ対ＶＧＡインタフェース変換装置。
【請求項２】
請求項１記載のＵＳＢ対ＶＧＡインタフェース変換装置において、ＵＳＢコントローラにＵＳＢソケットが接続されたことを特徴とする、ＵＳＢ対ＶＧＡインタフェース変換装置。
【請求項３】
請求項１記載のＵＳＢ対ＶＧＡインタフェース変換装置において、ＶＧＡコントローラにＶＧＡプラグが接続されたことを特徴とする、ＵＳＢ対ＶＧＡインタフェース変換装置。
【請求項４】
請求項３記載のＵＳＢ対ＶＧＡインタフェース変換装置において、プラグの一端にＵＳＢソケットが設けられてＵＳＢコントローラと接続されたことを特徴とする、ＵＳＢ対ＶＧＡインタフェース変換装置。
【請求項５】
請求項３記載のＵＳＢ対ＶＧＡインタフェース変換装置において、プラグの一端にＶＧＡプラグが設けられてＵＳＢソケットが設けられてＶＧＡコントローラと接続されたことを特徴とする、ＵＳＢ対ＶＧＡインタフェース変換装置。
【請求項６】
請求項１記載のＵＳＢ対ＶＧＡインタフェース変換装置において、ＵＳＢコントローラ、ＶＧＡコントローラ及びブリッジがディスプレイ内の表示制御基板に設けられたことを特徴とする、ＵＳＢ対ＶＧＡインタフェース変換装置。
【請求項７】
請求項６記載のＵＳＢ対ＶＧＡインタフェース変換装置において、ＵＳＢコントローラにＵＳＢソケットが接続されたことを特徴とする、ＵＳＢ対ＶＧＡインタフェース変換装置。
【請求項８】
請求項６記載のＵＳＢ対ＶＧＡインタフェース変換装置において、ＶＧＡコントローラがディスプレイの表示制御基板に接続されたことを特徴とする、ＵＳＢ対ＶＧＡインタフェース変換装置。
【請求項９】
請求項１記載のＵＳＢ対ＶＧＡインタフェース変換装置において、ブリッジが、ファームウエアインタフェース、ＦＩＦＯコントローラ、ディスプレイインタフェース変換器を具え、
該ファームウエアインタフェースはＵＳＢコントローラに接続されＵＳＢコントローラの発生するバス制御命令を受け取り、並びにＤＭＡ制御信号、ファームウエア制御信号及び制御命令データを出力し、
該ＦＩＦＯコントローラは、ＵＳＢコントローラに接続され、並びにＵＳＢコントローラにＦＩＦＯ制御信号を送り、ＦＩＦＯ方式でＵＳＢコントローラの送るＵＳＢインタフェース形態の表示画面データを読み取り、
該ディスプレイインタフェース変換器は、ファームウエアインタフェース、ＦＩＦＯコントローラ及びＶＧＡコントローラに接続され、ファームウエアインタフェースの伝送したＤＭＡ制御信号、ファームウエア制御信号及び制御命令データを受け取り、並びにＦＩＦＯコントローラのＦＩＦＯ制御信号を受けて、ＦＩＦＯ方式でＵＳＢコントローラの送るＵＳＢインタフェース形態の表示画面データを読み取り、並びに対応するＶＧＡディスプレイインタフェース形態画面信号に変換してＶＧＡコントローラに送ることを特徴とする、ＵＳＢ対ＶＧＡインタフェース変換装置。
【請求項１０】
請求項９記載のＵＳＢ対ＶＧＡインタフェース変換装置において、ファームウエアインタフェースが受け取るＵＳＢコントローラからのバス制御命令がＰＩＯバス制御命令とされたことを特徴とする、ＵＳＢ対ＶＧＡインタフェース変換装置。
【請求項１１】
請求項９記載のＵＳＢ対ＶＧＡインタフェース変換装置において、ファームウエアインタフェースがコントロールバス、データバスでディスプレイインタフェース変換器に接続されたことを特徴とする、ＵＳＢ対ＶＧＡインタフェース変換装置。
【請求項１２】
請求項９記載のＵＳＢ対ＶＧＡインタフェース変換装置において、ファームウエアインタフェースがＤＭＡアドレス制御線、ＤＭＡレングス制御線、ＤＭＡトリガ制御線、ファームウエアトリガ制御線及びデータバスでディスプレイインタフェース変換器に接続されたことを特徴とする、ＵＳＢ対ＶＧＡインタフェース変換装置。
【請求項１３】
請求項９記載のＵＳＢ対ＶＧＡインタフェース変換装置において、ＦＩＦＯコントローラが制御線とデータバスでＵＳＢコントローラに接続されたことを特徴とする、ＵＳＢ対ＶＧＡインタフェース変換装置。
【請求項１４】
請求項９記載のＵＳＢ対ＶＧＡインタフェース変換装置において、ＦＩＦＯコントローラが制御線とデータバスでディスプレイインタフェース変換器に接続されたことを特徴とする、ＵＳＢ対ＶＧＡインタフェース変換装置。
【請求項１５】
請求項９記載のＵＳＢ対ＶＧＡインタフェース変換装置において、ディスプレイインタフェース変換器が変換し出力するＶＧＡディスプレイインタフェース形態画面信号がＰＣＩインタフェース形式のＶＧＡディスプレイ信号とされたことを特徴とする、ＵＳＢ対ＶＧＡインタフェース変換装置。
【請求項１６】
請求項９記載のＵＳＢ対ＶＧＡインタフェース変換装置において、ファームウエアインタフェース、ＦＩＦＯコントローラ及びディスプレイインタフェース変換器が単一集積回路に整合されたことを特徴とする、ＵＳＢ対ＶＧＡインタフェース変換装置。
【請求項１７】
請求項１６記載のＵＳＢ対ＶＧＡインタフェース変換装置において、単一集積回路がＦＰＧＡとされたことを特徴とする、ＵＳＢ対ＶＧＡインタフェース変換装置。
【請求項１８】
請求項１６記載のＵＳＢ対ＶＧＡインタフェース変換装置において、単一集積回路がＡＳＩＣとされたことを特徴とする、ＵＳＢ対ＶＧＡインタフェース変換装置。
【考案の詳細な説明】
【技術分野】
【０００１】
本考案は一種のＵＳＢ対ＶＧＡインタフェース変換装置に係り、特にコンピュータのＵＳＢインタフェースポートとディスプレイのＶＧＡディスプレイインタフェースとの接続、変換の装置に関する。
【背景技術】
【０００２】
周知のコンピュータとディスプレイ間の連結構造は、コンピュータ内にディスプレイインタフェース回路、例えば周知のＰＣＩ形式ディスプレイインタフェース及びＡＧＰ形式ディスプレイインタフェースを構築する、というものであるが、どのようなインタフェースであっても、コンピュータ内部にはディスプレイインタフェースカードを取り付けなければならず、コンピュータのインタフェーススロットを占用し、且つコンピュータの設備と取り付けコストを増す。コンピュータのディスプレイインタフェースカードとディスプレイの間の連結には、複数のピンと複数のピン信号の信号ケーブルによる連結が必要で、それによりコンピュータ内のＶＧＡディスプレイ信号をディスプレイに伝送し表示を行なう。このためコンピュータとディスプレイ間の接続用ケーブルは増大する必要があり、且つ配線数も多くなり、回路の配置、取り付けに不利となり、且つ線径の増大により回路の周波数幅に影響が生じ、回路の敷設長さ及び距離が縮減、制限され、このためコンピュータとディスプレイ間の配置距離が狭く小さい範囲に狭められ、使用者の空間レイアウト使用に不便となる。もし回路の敷設距離を長くするなら、回路の信号は減衰し、余分に信号増幅器を取り付ける必要が生じ、さらにコンピュータとディスプレイ間の連結の設備コストが増す。以上がコンピュータとディスプレイインタフェース接続において解決が待たれる問題である。
【考案の開示】
【考案が解決しようとする課題】
【０００３】
本考案の主要な目的は、一種のＵＳＢ対ＶＧＡインタフェース変換装置を提供することにあり、それは、ＵＳＢコントローラ、ＶＧＡコントローラ及びブリッジを具え、ブリッジでＵＳＢコントローラとＶＧＡコントローラの間が連結されてＵＳＢ対ＶＧＡ信号の変換を行ない、コンピュータにＵＳＢインタフェースにより表示画面データをディスプレイに伝送させるものとする。
【０００４】
本考案のもう一つの目的は、一種のＵＳＢ対ＶＧＡインタフェース変換装置を提供することにあり、それは、そのうちのブリッジがファームウエアインタフェース、ＦＩＦＯコントローラ及びディスプレイインタフェース変換器を具え、ＵＳＢ形式の表示画面データをＦＩＦＯ方式で伝送し、変換して対応するＶＧＡ表示信号となし、ＶＧＡディスプレイに提供して表示操作を行なうものとする。
【０００５】
本考案はまた、一種のＵＳＢ対ＶＧＡインタフェース変換装置を提供することを目的とし、それは、ＵＳＢコントローラによりＵＳＢケーブルが直接コンピュータに接続され、並びにＶＧＡコントローラが直接ディスプレイに接続され、コンピュータに表示インタフェースカードハードウエアを取り付ける必要がなく、これによりコンピュータとディスプレイ間の回路のデータ伝送周波数幅、回路配置長さ及び範囲の問題を改善するものとする。
【課題を解決するための手段】
【０００６】
請求項１の考案は、コンピュータのＵＳＢインタフェースポートに接続されたＵＳＢコントローラ、ＶＧＡコントローラ、ブリッジを具え、該ＵＳＢコントローラはコンピュータのＵＳＢインタフェースポートに接続されてコンピュータの伝送するＵＳＢインタフェース形態の表示画面データを受け取り、並びにバス制御命令と上述のＵＳＢインタフェース形態の表示画面データを送出し、該ＶＧＡコントローラはディスプレイに接続され、ＶＧＡディスプレイインタフェース形態画面信号をディスプレイに伝送し、該ブリッジは該ＵＳＢコントローラと該ＶＧＡコントローラの間を連結し、該ＵＳＢコントローラの送出するバス制御命令を受け取り、且つＵＳＢコントローラに対してＦＩＦＯ制御信号を送出し、ＦＩＦＯ方式でＵＳＢコントローラの伝送するＵＳＢインタフェース形態の表示画面データを受け取り、並びにＵＳＢインタフェース形態の表示画面データをＶＧＡディスプレイインタフェース形態画面信号に変換してＶＧＡコントローラに送ることを特徴とする、ＵＳＢ対ＶＧＡインタフェース変換装置としている。
請求項２の考案は、請求項１記載のＵＳＢ対ＶＧＡインタフェース変換装置において、ＵＳＢコントローラにＵＳＢソケットが接続されたことを特徴とする、ＵＳＢ対ＶＧＡインタフェース変換装置としている。
請求項３の考案は、請求項１記載のＵＳＢ対ＶＧＡインタフェース変換装置において、ＶＧＡコントローラにＶＧＡプラグが接続されたことを特徴とする、ＵＳＢ対ＶＧＡインタフェース変換装置としている。
請求項４の考案は、請求項３記載のＵＳＢ対ＶＧＡインタフェース変換装置において、プラグの一端にＵＳＢソケットが設けられてＵＳＢコントローラと接続されたことを特徴とする、ＵＳＢ対ＶＧＡインタフェース変換装置としている。
請求項５の考案は、請求項３記載のＵＳＢ対ＶＧＡインタフェース変換装置において、プラグの一端にＶＧＡプラグが設けられてＵＳＢソケットが設けられてＶＧＡコントローラと接続されたことを特徴とする、ＵＳＢ対ＶＧＡインタフェース変換装置としている。
請求項６の考案は、請求項１記載のＵＳＢ対ＶＧＡインタフェース変換装置において、ＵＳＢコントローラ、ＶＧＡコントローラ及びブリッジがディスプレイ内の表示制御基板に設けられたことを特徴とする、ＵＳＢ対ＶＧＡインタフェース変換装置としている。
請求項７の考案は、請求項６記載のＵＳＢ対ＶＧＡインタフェース変換装置において、ＵＳＢコントローラにＵＳＢソケットが接続されたことを特徴とする、ＵＳＢ対ＶＧＡインタフェース変換装置としている。
請求項８の考案は、請求項６記載のＵＳＢ対ＶＧＡインタフェース変換装置において、ＶＧＡコントローラがディスプレイの表示制御基板に接続されたことを特徴とする、ＵＳＢ対ＶＧＡインタフェース変換装置としている。
請求項９の考案は、請求項１記載のＵＳＢ対ＶＧＡインタフェース変換装置において、ブリッジが、ファームウエアインタフェース、ＦＩＦＯコントローラ、ディスプレイインタフェース変換器を具え、
該ファームウエアインタフェースはＵＳＢコントローラに接続されＵＳＢコントローラの発生するバス制御命令を受け取り、並びにＤＭＡ制御信号、ファームウエア制御信号及び制御命令データを出力し、
該ＦＩＦＯコントローラは、ＵＳＢコントローラに接続され、並びにＵＳＢコントローラにＦＩＦＯ制御信号を送り、ＦＩＦＯ方式でＵＳＢコントローラの送るＵＳＢインタフェース形態の表示画面データを読み取り、
該ディスプレイインタフェース変換器は、ファームウエアインタフェース、ＦＩＦＯコントローラ及びＶＧＡコントローラに接続され、ファームウエアインタフェースの伝送したＤＭＡ制御信号、ファームウエア制御信号及び制御命令データを受け取り、並びにＦＩＦＯコントローラのＦＩＦＯ制御信号を受けて、ＦＩＦＯ方式でＵＳＢコントローラの送るＵＳＢインタフェース形態の表示画面データを読み取り、並びに対応するＶＧＡディスプレイインタフェース形態画面信号に変換してＶＧＡコントローラに送ることを特徴とする、ＵＳＢ対ＶＧＡインタフェース変換装置としている。
請求項１０の考案は、請求項９記載のＵＳＢ対ＶＧＡインタフェース変換装置において、ファームウエアインタフェースが受け取るＵＳＢコントローラからのバス制御命令がＰＩＯバス制御命令とされたことを特徴とする、ＵＳＢ対ＶＧＡインタフェース変換装置としている。
請求項１１の考案は、請求項９記載のＵＳＢ対ＶＧＡインタフェース変換装置において、ファームウエアインタフェースがコントロールバス、データバスでディスプレイインタフェース変換器に接続されたことを特徴とする、ＵＳＢ対ＶＧＡインタフェース変換装置としている。
請求項１２の考案は、請求項９記載のＵＳＢ対ＶＧＡインタフェース変換装置において、ファームウエアインタフェースがＤＭＡアドレス制御線、ＤＭＡレングス制御線、ＤＭＡトリガ制御線、ファームウエアトリガ制御線及びデータバスでディスプレイインタフェース変換器に接続されたことを特徴とする、ＵＳＢ対ＶＧＡインタフェース変換装置としている。
請求項１３の考案は、請求項９記載のＵＳＢ対ＶＧＡインタフェース変換装置において、ＦＩＦＯコントローラが制御線とデータバスでＵＳＢコントローラに接続されたことを特徴とする、ＵＳＢ対ＶＧＡインタフェース変換装置としている。
請求項１４の考案は、請求項９記載のＵＳＢ対ＶＧＡインタフェース変換装置において、ＦＩＦＯコントローラが制御線とデータバスでディスプレイインタフェース変換器に接続されたことを特徴とする、ＵＳＢ対ＶＧＡインタフェース変換装置としている。
請求項１５の考案は、請求項９記載のＵＳＢ対ＶＧＡインタフェース変換装置において、ディスプレイインタフェース変換器が変換し出力するＶＧＡディスプレイインタフェース形態画面信号がＰＣＩインタフェース形式のＶＧＡディスプレイ信号とされたことを特徴とする、ＵＳＢ対ＶＧＡインタフェース変換装置としている。
請求項１６の考案は、請求項９記載のＵＳＢ対ＶＧＡインタフェース変換装置において、ファームウエアインタフェース、ＦＩＦＯコントローラ及びディスプレイインタフェース変換器が単一集積回路に整合されたことを特徴とする、ＵＳＢ対ＶＧＡインタフェース変換装置としている。
請求項１７の考案は、請求項１６記載のＵＳＢ対ＶＧＡインタフェース変換装置において、単一集積回路がＦＰＧＡとされたことを特徴とする、ＵＳＢ対ＶＧＡインタフェース変換装置としている。
請求項１８の考案は、請求項１６記載のＵＳＢ対ＶＧＡインタフェース変換装置において、単一集積回路がＡＳＩＣとされたことを特徴とする、ＵＳＢ対ＶＧＡインタフェース変換装置としている。
【考案の効果】
【０００７】
本考案のＵＳＢ対ＶＧＡインタフェース変換装置は、簡単で低コストの技術手段により、コンピュータ内部に余分の表示インタフェースハードウエアを取り付ける必要を無くし、コンパクトなＵＳＢ接続ケーブルにより、ディスプレイを接続するだけでよいものとし、並びに必要な画面表示データを高周波数幅、低信号損耗のＵＳＢインタフェース形態で伝送し並びにＶＧＡディスプレイインタフェース形態画面信号に変換してディスプレイに提供して表示を行なえるようにし、大幅にコンピュータとディスプレイ間の接続回路或いは敷設コストを減らし、また、コンピュータとディスプレイ間の配置空間と範囲の問題を解決し、極めて実用的で産業上の利用価値を有する。
【考案を実施するための最良の形態】
【０００８】
本考案のＵＳＢ対ＶＧＡインタフェース変換装置は、コンピュータのＵＳＢインタフェースポートに接続されたＵＳＢコントローラ、ディスプレイに接続されたＶＧＡコントローラ、及び該ＵＳＢコントローラと該ＶＧＡコントローラの間を連結するブリッジを具え、該ブリッジはファームウエアインタフェース、ＦＩＦＯコントローラ及びディスプレイインタフェース変換器を具えている。そのうち、ファームウエアインタフェースはＵＳＢコントローラに接続されてＵＳＢコントローラの発生するバス制御命令を受け取り、ファームウエアインタフェースは並びにディスプレイインタフェース変換器にファームウエア及びＤＭＡ制御信号を送り、且つＦＩＦＯコントローラがＵＳＢコントローラに接続されてＵＳＢコントローラを制御してＦＩＦＯ方式でコンピュータからのＵＳＢ形態の表示データを伝送させ、並びにＦＩＦＯコントローラによりＵＳＢデータをディスプレイインタフェース変換器に伝送し、ディスプレイインタフェース変換器よりＶＧＡコントローラに送り標準ＶＧＡディスプレイインタフェース信号に変換してディスプレイに送る。
【実施例１】
【０００９】
図１は本考案のシステムブロック図であり、本考案のＵＳＢ対ＶＧＡインタフェース変換装置１００は、少なくとも、ＵＳＢコントローラ１０、ＶＧＡコントローラ２０、及びブリッジ３０を具えている。そのうち、ＵＳＢコントローラ１０はコンピュータ２００のＵＳＢインタフェースポート２１０に接続されて、コンピュータ２００の送出したＵＳＢインタフェースの表示画面データを受け取る。該ＶＧＡコントローラ２０はディスプレイ３００に接続され、ブリッジ３０はＵＳＢコントローラ１０とＶＧＡコントローラ２０の間を接続し、ＵＳＢコントローラ１０はＦＩＦＯ方式で、コンピュータ２００からのＵＳＢインタフェース形態の表示画面データをブリッジ３０に送り、ブリッジ３０がＵＳＢインタフェース形態の表示画面データを対応する標準ＶＧＡ表示画面信号に変換してＶＧＡコントローラ２０に送り、ＶＧＡコントローラ２０が標準ＶＧＡ表示画面信号をディスプレイ３００に送り、ディスプレイ３００により画面表示作業を行なう。
【００１０】
図２は本考案中のブリッジ３０のブロック回路図であり、そのうち、ブリッジ３０はファームウエアインタフェース３１、ＦＩＦＯコントローラ３２及びディスプレイインタフェース変換器３３を具えている。そのうち、ファームウエアインタフェース３１は上述のＵＳＢコントローラ１０に接続されて、バス制御命令Ａを受け取り、該ファームウエアインタフェース３１はナビにコントロールバスＢ及びデータバスＣによりディスプレイインタフェース変換器３３に連結され、ＤＭＡ制御信号、ファームウエア制御信号及び制御命令データを伝送し、ディスプレイインタフェース変換器３３にＵＳＢインタフェース形態の表示画面データを対応するＶＧＡディスプレイインタフェース形態画面信号Ｄに変換させ、該ＶＧＡディスプレイインタフェース形態画面信号Ｄの形態は不問であり、ＰＣＩ或いはＡＧＰ等の異なる形式のディスプレイインタフェース信号とされ得る。
【００１１】
図２に示されるように、ＦＩＦＯコントローラ３２は、データバスＥ及び制御線ＦによりＵＳＢコントローラ１０に連結され、該ＦＩＦＯコントローラ３２は制御線ＦによりＦＩＦＯ命令をＵＳＢコントローラ１０に送り、ＵＳＢコントローラ１０にコンピュータ２００からのＵＳＢインタフェース形態の表示画面データを受け取らせ、ＦＩＦＯ方式で、データバスＥを介してＦＩＦＯコントローラ３２に伝送させ、該ＦＩＦＯコントローラ３２は並びにディスプレイインタフェース変換器３３とデータバスＧと制御線Ｈで連結され、ＦＩＦＯコントローラ３２がＵＳＢコントローラ１０の伝送したＵＳＢインタフェース形態の表示画面データを読み取った後、さらに制御線ＨによりＦＩＦＯ制御信号をディスプレイインタフェース変換器３３に送り、ＦＩＦＯコントローラ３２がＦＩＦＯ方式で、ＵＳＢインタフェース形態の表示画面データをディスプレイインタフェース変換器３３に送り、ディスプレイインタフェース変換器３３がこのＵＳＢインタフェース形態の表示画面データをＶＧＡディスプレイインタフェース形態画面信号Ｄに変換しディスプレイ３００に伝送する。
【００１２】
さらに図３に示されるのはＰＣＩ形態ディスプレイインタフェースが変換標的とされた実施例であり、ブリッジ３０の構造を示す。そのうち、ファームウエアインタフェース３１はＵＳＢコントローラ１０の伝送したＰＩＯバス制御命令Ａ’を受け取り、且つファームウエアインタフェース３１とディスプレイインタフェース変換器３３’の間はＤＭＡアドレス制御線Ｂ１、ＤＭＡレングス制御線Ｂ２、ＤＭＡトリガ制御線Ｂ３、ファームウエアトリガ制御線Ｂ４及びデータバスＣで連結され、ファームウエアインタフェース３１がＤＭＡアドレス制御線Ｂ１、ＤＭＡレングス制御線Ｂ２、ＤＭＡトリガ制御線Ｂ３、ファームウエアトリガ制御線Ｂ４によりディスプレイインタフェース変換器３３’のＤＭＡアドレス、データレングス、トリガ信号及びファームウエアのトリガを制御し、並びにデータバスＣが関係制御命令とデータをディスプレイインタフェース変換器３３’に伝送する。
【００１３】
上述の図３のＦＩＦＯコントローラ３２は、データバスＥと制御線ＦでＵＳＢコントローラ１０に接続され、ＦＩＦＯコントローラ３２は制御線ＦでＦＩＦＯ命令をＵＳＢコントローラ１０に送り、ＵＳＢコントローラ１０にコンピュータ２００より受け取ったＵＳＢインタフェース形態の表示画面データをデータバスＥを介してＦＩＦＯ方式でＦＩＦＯコントローラ３２に送らせる。該ＦＩＦＯコントローラ３２は並びにディスプレイインタフェース変換器３３’とデータバスＧと制御線Ｈで連結され、ＦＩＦＯコントローラ３２がＵＳＢコントローラ１０より伝送されたＵＳＢインタフェース形態の表示画面データを読み取った後、制御線ＨでＦＩＦＯ命令をディスプレイインタフェース変換器３３’に送り、ＦＩＦＯコントローラ３２がＦＩＦＯ方式で、ＵＳＢインタフェース形態の表示画面データをディスプレイインタフェース変換器３３’に送り、該ディスプレイインタフェース変換器３３’はＰＣＩインタフェース変換を行ない、上述のファームウエアインタフェース３１がＤＭＡアドレス制御線Ｂ１、ＤＭＡレングス制御線Ｂ２、ＤＭＡトリガ制御線Ｂ３、ファームウエアトリガ制御線Ｂ４を介して送るＤＭＡアドレス、データレングス、トリガ信号及び、ファームウエアトリガ信号に基づき、ディスプレイインタフェース変換器３３’はこのＵＳＢインタフェース形態の表示画面データをＰＣＩ形式のＶＧＡディスプレイインタフェース形態画面信号Ｄ’に変換しディスプレイ３００に出力する。
【００１４】
上述の図２及び図３に示されるブリッジ３０はその形式に制限はなく、本発明ではＥＰＧＡの形式を実施例として説明するが、その他の実施形態、例えばブリッジ３０中のファームウエアインタフェース３１、ＦＩＦＯコントローラ３２及びディスプレイインタフェース変換器３３が整合されて単一集積回路とされて、例えばＡＳＩＣとされた場合も、本考案の請求範囲から逸脱しない。
【００１５】
さらに図４は、本考案のＵＳＢ対ＶＧＡインタフェース変換装置１００が、実際にコンピュータ２００に組み合わされてディスプレイ３００表示作業を実行するフローチャートである。ここに列挙される実施例はマイクロソフト社のＷｉｎｄｏｗｓ（登録商標）シリーズオペレーションシステムを例としており、そのステップは以下のステップ４００〜４４０を含む。
（４００）アプリケーションが表示要求情報を発送する
（４１０）ＧＤＩ３２表示制御機能を起動する。アプリケーションプログラムが要求する表示データをグラフィックエンジンに送る。
（４２０）グラフィックエンジンを起動する。グラフィックエンジンにより必要な表示データを処理する。
（４３０）グラフィックドライバを駆動する。即ちグラフィックドライバにより必要な表示画面データを編集及び駆動する。
（４４０）ＵＳＢインタフェースで伝送する。
【００１６】
上述の各ステップの説明において、本考案のＵＳＢ対ＶＧＡインタフェース変換装置１００は任意の周知のコンピュータ２００及びオペレーションシステムに組合せ可能であり、コンピュータ２００内部にインタフェースカードハードウエアを取り付ける必要がなく、コンピュータ２００内部インタフェースの空間を拡張でき、且つ太過ぎる信号ケーブルによりコンピュータ２００とディスプレイ３００を連結する必要を無くし、且つコンピュータ２００とディスプレイ３００の接続長さと範囲を増すことができる。
【００１７】
図５は本考案のＵＳＢ対ＶＧＡインタフェース変換装置１００をコンピュータ２００とディスプレイ３００間のＵＳＢ接続ケーブル５００の連結に応用した第１応用例である。そのうち、ＵＳＢ対ＶＧＡインタフェース変換装置１００のＵＳＢコントローラ１０、ＶＧＡコントローラ２０、及びブリッジ３０はプラグ６００内に整合され、該プラグ６００の一端に少なくとも一つのＵＳＢソケット６１０が設けられ、該ＵＳＢソケット６１０がＵＳＢコントローラ１０に接続され、ＵＳＢソケット６１０がＵＳＢ接続ケーブル５００の一端のＵＳＢプラグ５１０との接続に供され、ＵＳＢ接続ケーブル５００がコンピュータ２００のＵＳＢインタフェースポート２１０に接続され、プラグ６００の別端にＶＧＡプラグ６２０が設けられ、ディスプレイ３００の信号プラグ３１０に接続されている。
【００１８】
図６は本考案のＵＳＢ対ＶＧＡインタフェース変換装置１００をコンピュータ２００とディスプレイ３００間のＵＳＢ接続ケーブル５００の連結に応用した第１応用例である。そのうち、ＵＳＢ対ＶＧＡインタフェース変換装置１００のＵＳＢコントローラ１０、ＶＧＡコントローラ２０、及びブリッジ３０はディスプレイ３００内部の表示制御基板３２０に設置され、並びに該表示制御基板３２０に少なくとも一つのＵＳＢソケット３３０が設けられ、該ＵＳＢソケット３３０がディスプレイ３００外に露出してＵＳＢ接続ケーブル５００の一端のＵＳＢプラグ５１０との接続に供され、ＵＳＢ接続ケーブル５００がコンピュータ２００のＵＳＢインタフェースポート２１０に接続され、ＶＧＡコントローラ２０が直接表示制御基板３２０に接続されて、直接ディスプレイ３００の必要とするＶＧＡ表示信号を提供する。
【００１９】
本考案の精神は、簡単で低コストの技術手段により、コンピュータ２００内部に余分の表示インタフェースハードウエアを取り付ける必要を無くし、コンパクトなＵＳＢ接続ケーブル５００により、ディスプレイ３００を接続するだけでよいものとし、並びに必要な画面表示データを高周波数幅、低信号損耗のＵＳＢインタフェース形態で伝送し並びにＶＧＡディスプレイインタフェース形態画面信号Ｄ、Ｄ’に変換してディスプレイ３００に提供して表示を行なえるようにし、大幅にコンピュータ２００とディスプレイ３００間の接続回路或いは敷設コストを減らし、また、コンピュータ２００とディスプレイ３００間の配置空間と範囲の問題を解決し、極めて実用的で産業上の利用価値を有するものとすることにある。
【００２０】
以上の図１から図６に示される本考案のＵＳＢ対ＶＧＡインタフェース変換装置は、その説明及び図面は本考案の技術内容と技術手段を説明するためのものであり、実施例の一部に過ぎず、本考案の請求範囲を限定するものではなく、本考案に基づきなしうる細部の修飾或いは改変は、いずれも本考案の請求範囲に属するものとする。
【図面の簡単な説明】
【００２１】
【図１】本考案のシステムブロック図である。
【図２】本考案のブリッジの回路ブロック図である。
【図３】図２のブリッジの別の実施例図である。
【図４】本考案中のコンピュータよりＵＳＢコントローラへのＵＳＢインタフェースの表示画面データ伝送のフローチャートである。
【図５】本考案中のＵＳＢ対ＶＧＡインタフェース変換装置がコンピュータとディスプレイ間の連結に応用された第１応用例図である。
【図６】本考案中のＵＳＢ対ＶＧＡインタフェース変換装置がコンピュータとディスプレイ間の連結に応用された第２応用例図である。
【符号の説明】
【００２２】
１００  ＵＳＢ対ＶＧＡインタフェース変換装置
１０  ＵＳＢコントローラ
２０  ＶＧＡコントローラ
３０  ブリッジ
３１  ファームウエアインタフェース
３２  ＦＩＦＯコントローラ
３３  ディスプレイインタフェース変換器
３３’  ディスプレイインタフェース変換器
Ａ  バス制御命令
Ｂ  コントロールバス
Ｃ  データバス
Ｄ  ＶＧＡディスプレイインタフェース形態画面信号
Ｅ  データバス
Ｆ  制御線
Ｇ  データバス
Ｈ  制御線
Ａ’  ＰＩＯバス制御命令
Ｂ１  ＤＭＡアドレス制御線
Ｂ２  ＤＭＡレングス制御線
Ｂ３  ＤＭＡトリガ制御線
Ｂ４  ファームウエアトリガ制御線
２００  コンピュータ
２１０  ＵＳＢインタフェースポート
３００  ディスプレイ
３１０  信号プラグ
３２０  表示制御基板
３３０  ＵＳＢソケット
５００  ＵＳＢ接続ケーブル
５１０  ＵＳＢプラグ
６００  プラグ
６１０  ＵＳＢソケット
５２０  ＶＧＡプラグ
Ｄ’  ＶＧＡディスプレイインタフェース形態画面信号
【図１】
0003100747.tif 000003
【図２】
0003100747.tif 000004
【図３】
0003100747.tif 000005
【図４】
0003100747.tif 000006
【図５】
0003100747.tif 000007
【図６】
0003100747.tif 000008